(57)【要約】【課題】、用途ごとに印字サイズを変えて使い分けしたり、印字の書体を変えて使うことなどが可能となる便利な印鑑を提供する。【解決手段】複数の印字体が具えられ、それら印字体が印鑑本体に対しそれぞれ着脱自在とされ、かつ、互いに交換自在とされたことを特徴とする。また、複数の印字体の印字サイズを互いに異ならせることができる。また、印字体の印字を彫刻により形成することができる。また、印字体をマグネットで印鑑本体に固定可能とすることができる。また、印字体と印鑑本体を嵌め込式とし、その嵌合部における印字体と印鑑本体との間に軟質素材のアタッチメントを介在させることができる。また、印鑑本体の両端にそれぞれ印字体の着脱部を設けることができる。【選択図】        図１
2004188689.tif 000002
【特許請求の範囲】
【請求項１】
複数の印字体が具えられ、それら印字体が印鑑本体に対しそれぞれ着脱自在とされ、かつ、互いに交換自在とされたことを特徴とする印鑑。
【請求項２】
複数の印字体の印字サイズが互いに異なっている請求項１記載の印鑑。
【請求項３】
印字体の印字が彫刻により形成された請求項１又は２記載の印鑑。
【請求項４】
印字体がマグネットで印鑑本体に固定可能とされた請求項１、２又は３記載の印鑑。
【請求項５】
印字体と印鑑本体が嵌め込式で、その嵌合部における印字体と印鑑本体との間に軟質素材のアタッチメントが介在させられた請求項１、２又は３記載の印鑑。
【請求項６】
印鑑本体の両端にそれぞれ印字体の着脱部が設けられた請求項１、２、３、４又は５記載の印鑑。
【発明の詳細な説明】
【０００１】
【発明が属する技術分野】
本発明は印鑑に関する。
【０００２】
【従来の技術】
印鑑には、認印、銀行印、実印、会社印など、用途ごとに様々な種類があり、これらは、一般的に印字サイズが異なっている。
【０００３】
したがって、用途ごとに印字サイズが異なる複数本の印鑑を備えなければならないので、経済的負担が大きく、又、紛失しやすいという問題がある。
【０００４】
また、同じ印字サイズの印鑑でも、印字の書体を変えて使用したいという要望もある。
【０００５】
なお、上記の従来例は文献公知発明に係るものではなく、出願人が出願時に知っている先行技術文献情報はない。
【０００６】
【発明が解決しようとする課題】
本発明は、用途ごとに印字サイズを変えて使い分けしたり、印字の書体を変えて使うことなどが可能となる便利な印鑑の提供を課題とする。
【０００７】
【課題を解決するための手段】
上記課題を解決するために、本発明の印鑑は、複数の印字体が具えられ、それら印字体が印鑑本体に対しそれぞれ着脱自在とされ、かつ、互いに交換自在とされたことを特徴とする、という構成にしたものである。
【０００８】
また、本発明の印鑑は、複数の印字体の印字サイズが互いに異なっている構成にすることができる。
【０００９】
また、本発明の印鑑は、印字体の印字が彫刻により形成されたものとすることができる。
【００１０】
また、本発明の印鑑は、印字体がマグネットで印鑑本体に固定可能とされた構成にすることができる。
【００１１】
また、本発明の印鑑は、印字体と印鑑本体が嵌め込式で、その嵌合部における印字体と印鑑本体との間に軟質素材のアタッチメントが介在させられた構成にすることも可能である。
【００１２】
また、本発明の印鑑は、印鑑本体の両端にそれぞれ印字体の着脱部が設けられた構成にすることができる。
【００１３】
【発明の実施の形態】
以下、図を用いて本発明の実施の形態について説明する。まず、図１に示すように、１本の印鑑本体１に対し複数の印字体２，３が具えられている。なお、図面上、印字体２，３は２つだけしか記載してないが、もちろん、より多数具えることが可能である。
【００１４】
印鑑本体１と各印字体２，３は着脱自在となっている。着脱手段は自由であるが、図に示すように嵌め込み式とすることができる。すなわち、印鑑本体１の一端に凹部４が形成され、各印字体２，３にはその凹部４に嵌合可能な凸部５，６が形成された構成にすることができる。
【００１５】
そして、各印字体２，３の凸部５，６の形状及び寸法を同一にして、各印字体２，３を交換自在とすることができる。
【００１６】
なお、各印字体２，３の側に凹部を設け、印鑑本体１の側に凸部を設けることも可能である。
【００１７】
複数の印字体２，３は、それぞれの印字サイズを異ならせることができる。このように印字サイズを異ならせれば、それぞれの印字体２，３を用途ごとに使い分けることができる。
【００１８】
また、複数の印字体２，３は印字サイズを同一にして、印字の書体だけ変えることもできる。
【００１９】
印字体２，３の印面における印字は彫刻により形成することができる。なお、印字体２，３と印鑑本体１は、例えば、木質、動物の骨、石、合成樹脂等を素材とし、印鑑を形成できる素材であればよい。
【００２０】
次に、図２に示すように、印字体８は印鑑本体７に対しマグネットにより固定することができる。この場合、図示したように、印字体８にプラス又はマイナスのマグネット１０を取り付けるとともに、印鑑本体１に反対側の極性を有するマグネット９を取り付けるか、又は、図示はしないが、印字体８にマグネットを取り付けて印鑑本体７に磁性金属を取り付けるか、又は、印鑑本体７にマグネットを取り付けて印字体８に磁性金属を取り付けることができる。
【００２１】
なお、マグネットや磁性金属は印字体８や印鑑本体７に対しインサート、樹脂による接着、又は嵌合等の適宜な手段で取り付けることができる。
【００２２】
このように印字体８を印鑑本体７に対しマグネットで固定する場合も、印字体を複数具えて、互いに交換可能とすることができる。
【００２３】
印字体を印鑑本体に対し嵌め込み式とする場合、図３に示すように、印字体１２と印鑑本体１１との間に軟質素材のアタッチメント１４を介在させることができる。図示したアタッチメント１４は筒状で、印字体１２の凸部１５を挿入する印鑑本体１１の凹部１３の内面部に装着されているが、アタッチメント１４の形状は自由であり、又、取付位置も自由である。なお、アタッチメント１４は印字体１２の側に装着することも可能である。
【００２４】
次に、図４に示すように、印鑑本体１６はその左右両端部にそれぞれ印字体１７，１８を着脱自在とすることができる。すなわち、印鑑本体１６には２つの印字体１７，１８を一緒に取り付けることができる。２つの印字体１７，１８はそれぞれ、印鑑本体１６の両端に設けた凹部１９，２０に対し嵌合可能な凸部２１，２２を設けて、印鑑本体１６に対し嵌め込み式とすることができる。または、上記のようにマグネット固定式とすることも可能である。
【００２５】
【発明の効果】
本発明の印鑑は、複数の印字体が具えられ、それら印字体が印鑑本体に対しそれぞれ着脱自在とされ、かつ、互いに交換自在とされたので、その複数の印字体の印字サイズを互いに異ならせることによって、用途ごとの使い分けが可能となる。また、印字サイズが同一でも、印字の書体が異なる印字体と交換可能とすることもできる。
また、印字体をマグネットで印鑑本体に固定可能とすれば、印鑑本体に対する印字体の着脱が簡単になる。
また、印字体と印鑑本体を嵌め込式として、その嵌合部における印字体と印鑑本体との間に軟質素材のアタッチメントを介在させれば、嵌合状態のズレや遊びをアタッチメントで吸収して解消することができる。
また、印鑑本体の左右両端にそれぞれ印字体の着脱部を設ければ、１本の印鑑を同時に２用途に使用することができる。
【図面の簡単な説明】
【図１】第１実施例の一部切断側面図である。
【図２】第２実施例の一部切断側面図である。
【図３】第３実施例の一部切断側面図である。
【図４】第４実施例の一部切断側面図である。
【符号の説明】
１  印鑑本体
２  印字体
３  印字体
４  凹部
５  凸部
６  凸部
７  印鑑本体
８  印字体
９  マグネット
１０  マグネット
１１  印鑑本体
１２  印字体
１３  凹部
１４  アタッチメント
１５  凸部
１６  印鑑本体
１７  印字体
１８  印字体
１９  凹部
２０  凹部
２１  凸部
２２  凸部
【図１】
2004188689.tif 000003
【図２】
2004188689.tif 000004
【図３】
2004188689.tif 000005
【図４】
2004188689.tif 000006